(57)【要約】【課題】発光素子の保持するだけでなく、可動鉄片を手動により動作させることのできるホルダーを備えた構成とする。【解決手段】コイル端子２０，２１を介してコイル１３に通電し、コイルブロック２を励磁・消磁して可動鉄片１６を回動させ、可動接触片２４を動作させることにより、接点を開閉する。前記コイル端子２０，２１への通電により発光する発光素子５０を設ける。また、前記発光素子５０を保持するホルダー本体４７、押込操作により前記可動鉄片１６を直接押圧して作動させる作動部４９、及び、前記ホルダー本体４７と前記作動部４９を接続し、前記作動部４９の押込操作により弾性変形する弾性腕部４８からなるホルダー４３を設ける。【選択図】  図１
2004327236.tif 000002
【特許請求の範囲】
【請求項１】
コイル端子を介してコイルに通電し、コイルブロックを励磁・消磁して可動鉄片を回動させ、可動接触片を動作させることにより、接点を開閉するようにした電磁継電器において、
前記コイル端子への通電により発光する発光素子と、
前記発光素子を保持するホルダー本体、押込操作により前記可動鉄片を直接押圧して作動させる作動部、及び、前記ホルダー本体と前記作動部を接続し、前記作動部の押込操作により弾性変形する弾性腕部からなるホルダーとを備えたことを特徴とする電磁継電器。
【請求項２】
前記弾性腕部は、ケースの上面に形成した突出部の両側面でガイドされるようにしたことを特徴とする請求項１に記載の電磁継電器。
【請求項３】
前記作動部は、円形部と、該円形部から延びる棒状部とからなる押圧受部を備えたことを特徴とする請求項１又は２に記載の電磁継電器。
【請求項４】
前記押圧受部は、円形部の中心に円形状の凹部を備えたことを特徴とする請求項３に記載の電磁継電器。
【請求項５】
前記押圧受部は、円形部及び棒状部に溝部を備えたことを特徴とする請求項３又は４に記載の電磁継電器。
【発明の詳細な説明】
【０００１】
【発明の属する技術分野】
本発明は、電磁継電器に関するものである。
【０００２】
【従来の技術】
従来、電磁継電器として、発光樹脂からなる動作表示素子（発光素子）をケーシングに一体的に設けたものがある（例えば、特許文献１参照）。
【０００３】
また、他の電磁継電器として、動作表示ＬＥＤ（発光素子）を予め端子に配設し、各部材と共にコイルブロックに一体成形し、ＬＥＤの位置決め及び固定を容易にしたものがある（例えば、特許文献２参照）。
【０００４】
【特許文献１】
特開平１０−１２５１９５号公報
【特許文献２】
特開平１０−２０８６００号公報
【０００５】
【発明が解決しようとする課題】
しかしながら、前記いずれの電磁継電器であっても、発光素子は、ケーシングやコイルブロックに一体的に設けただけの構成となっている。このため、可動鉄片を手動により動作させて動作確認を行う場合、別途、作動機構を設ける必要がある。
【０００６】
そこで、本発明は、発光素子の保持するだけでなく、可動鉄片を手動により動作させることのできるホルダーを備えた電磁継電器を提供することを課題とする。
【０００７】
【課題を解決するための手段】
本発明は、前記課題を解決するための手段として、コイル端子を介してコイルに通電し、コイルブロックを励磁・消磁して可動鉄片を回動させ、可動接触片を動作させることにより、接点を開閉するようにした電磁継電器において、
前記コイル端子への通電により発光する発光素子と、
前記発光素子を保持するホルダー本体、押込操作により前記可動鉄片を直接押圧して作動させる作動部、及び、前記ホルダー本体と前記作動部を接続し、前記作動部の押込操作により弾性変形する弾性腕部からなるホルダーとを備えたものである。
【０００８】
この構成により、ホルダーは、発光素子を保持できるだけでなく、作動部を押込操作するだけで、弾性腕部を弾性変形させて可動鉄片を作動させることができる。したがって、余分な部品を追加することなく、発光素子の保持及び可動鉄片の作動の両機能を達成することが可能となる。
【０００９】
前記弾性腕部は、ケースの上面に形成した突出部の両側面でガイドされるようにすると、作動部の押込操作を安定させることが可能となる点で好ましい。
【００１０】
前記作動部は、円形部と、該円形部から延びる棒状部とからなる押圧受部を備えると、ペン等の棒状体あるいはマイナスドライバー等の板状体のいずれによっても簡単に押込操作可能となる点で好ましい。
【００１１】
前記押圧受部は、円形部の中心に円形状の凹部を備えると、前記棒状体による押込操作を確実に行うことが可能となる点で好ましい。
【００１２】
前記押圧受部は、円形部及び棒状部に溝部を備えると、前記板状体による押込操作を確実に行うことが可能となる点で好ましい。
【００１３】
【発明の実施の形態】
以下、本発明に係る実施形態を添付図面に従って説明する。
【００１４】
図１乃至図４は、本実施形態に係る電磁継電器を示す。この電磁継電器は、大略、ベースプレート１に、コイルブロック２及び接点開閉機構３を設け、ケース４を被せ、さらにケース４の上面に表示ブロック５を配置した構成である。
【００１５】
ベースプレート１は、図３及び図５に示すように、第１絶縁壁６によってコイルブロック２が配置される第１領域と、接点開閉機構３が配置される第２領域とに区画されている。第１絶縁壁６の側面部分には係止突部７が形成され、後述するケース４の係止孔３６に係止することにより、ベースプレート１にケース４が取り付けられる。また、第２領域は、第２絶縁壁８と第３絶縁壁９とにより、第１固定接触片２５が固定される領域と、可動接触片２４が固定される領域と、第２固定接触片２６が固定される領域とに区画されている。第２絶縁壁８の側面部分には軸受孔１０が形成され、後述するインジケータ３１が回動自在に支持される。
【００１６】
コイルブロック２は、図４及び図８に示すように、鉄心１１にスプール１２を介してコイル１３を巻回したものである。鉄心１１の下端部には、略Ｌ字形に折り曲げたヨーク１４の水平面部１４ａがカシメ固定されている。ヨーク１４の垂直面部１４ｂは、巻回したコイル１３に沿って上方に延び、側面にはヒンジバネ１５が固定されている。ヨーク１４の垂直面部１４ｂの上端には可動鉄片１６が揺動可能に支持されている。
【００１７】
可動鉄片１６は、図８に示すように、鉄心１１の吸引面１１ａに吸引される吸引部１７から屈曲部分を介して幅の狭くなった押圧受部１８が延設されている。押圧受部１８の先端には後述するカード２７に連結するための連結部１９が形成されている。可動鉄片１６は、ヒンジバネ１５の押圧片１５ａによって押圧受部１８を押圧され、コイルブロック２が消磁状態であれば、吸引部１７が鉄心１１の吸引面１１ａから離れるように回動する。
【００１８】
スプール１２は、図８に示すように、上端鍔部１２ａに第１コイル端子２０が、下端鍔部１２ｂには第２コイル端子２１がそれぞれ固定されている。第１コイル端子２０は、下端の脚部２２にコイル１３が巻回され、上端平面の電気接続部２３に、後述するＬＥＤ５０からのリード線５４が接続される。電気接続部２３には、中央部に上下に延びる突条２３ａが形成され、リード線５４との電気接続が確実に行えるようになっている。
【００１９】
コイル１３は、図４に示すように、スプール１２の胴部に巻回され、第１コイル端子２０にそれぞれ接続される第１コイル１３ａと、巻回したコイル１３の外周に巻回され、第２コイル端子２１にそれぞれ接続される第２コイル１３ｂとで構成されている。これにより、第２コイル端子２１に電圧を印加して外周側の第２コイル１３ｂに通電すると、電磁誘導作用により内周側の第１コイル１３ａに誘導起電力が発生し、第１コイル端子２０間に電位差を生じさせることが可能である。
【００２０】
接点開閉機構３は、図５に示すように、可動接触片２４と、その両側に配置した第１固定接触片２５及び第２固定接触片２６とで構成されている。可動接触片２４は、板状で、上端部に両面に露出する可動接点２４ａを一体化され、下端部で端子部２５ｂを構成している。また、可動接点２４ａの下方近傍には貫通孔２４ｃが形成されている。第１固定接触片２５及び第２固定接触片２６は共に板状で、上端部に前記可動接点２４ａが接離する第１固定接点２５ａ及び第２固定接点２６ａがそれぞれ一体化されている。また、両固定接触片２５，２６の下方側はクランク状に屈曲され、ベースプレート１の下面から突出する端子部２５ｂ，２６ｂを構成している。第１固定接触片２５は、上端側で第１固定接点２５ａの近傍下方より上下に延びるスリット２５ｃを形成されている。
【００２１】
可動接触片２４は、可動鉄片１６の一端部に係止したカード２７を介して動作する。カード２７は、図７に示すように、板状体の中央部に押込突出部２８を備え、その先端に設けた突起２８ａが前記可動接触片２４の貫通孔２４ｃを貫通する。押込突出部２８の上方近傍には矩形孔２９が形成され、可動鉄片１６の連結部１９が連結される。カード２７の両側部には略Ｕ字形のガイド受部３０が形成されている。
【００２２】
カード２７による可動接触片２４の動作は、インジケータ３１によって容易に確認することができる。インジケータ３１は、図６に示すように、略枠体形状で、上端連接部中央に表示片３２が形成されている。表示片３２の先端は略直角に折り曲げられ、視認部３３を構成している。両側部下端には対向方向に突出する支軸３４が形成され、この支軸３４がベースプレート１の軸受孔１０に係合することにより回動自在に取り付けられる。また、両側部中央には対向方向に突出するガイド突部３５が形成され、前記カード２７のガイド受部３０にガイドされることにより、両者は一体的に動作可能となっている。カード２７の押圧位置に対し、インジケータ３１の回動中心（支軸３４）が、表示片３２とは反対側に位置している。このため、カード２７の移動量に対して表示片３２の移動量を増幅することが可能である。
【００２３】
ケース４は、図２に示すように、下面が開口する箱形状で、透光性を有する樹脂材料を成形加工することにより得られる。ケース４の両側面下方中央部には、ベースプレート１の係止突部７が係脱する係止孔３６がそれぞれ形成されている。また、ケース４の一端面には、電磁継電器を鉛直面内に配置した図示しないパネルに装着した後、取り外す際に指を引っ掛けるための爪部３７が形成されている。また、ケース４の上面には、中央部に表示ガイド部３８が突設され、一端側に係止片３９及び補強部４０が突出し、他端側に第１ガイド片４１及び第２ガイド片４２が突出すると共にスリット４ａが形成されている。表示ガイド部３８は、箱状で、インジケータ３１の表示片３２が動作可能な空間を提供する。係止片３９は、表示ガイド部３８との間にＬＥＤホルダー４３をガイドし、上端の係止爪３９ａでケース４からのＬＥＤホルダー４３の脱落を防止する。補強部４０は、係止片３９を補強し、後述するカバー４６の第２係止爪６９が係脱する係止爪４０ａを備える。第１ガイド片４１は、側面中央部にカバー４６の第１係止爪６２ａ（図１１参照）が係止される係止溝４１ａを形成され、カバー４６の装着を容易にするために先端が細くなっている。第２ガイド片４２は、並設した一対の突出板からなり、ＬＥＤ５０から延びるリード線５４をガイドする。スリット４ａには、第１コイル端子２０の電気接続部２３が挿通する。
【００２４】
表示ブロック５は、図２に示すように、ケース４の上面にＬＥＤホルダー４３を配置し、操作レバー４４及び表示パネル４５を設けたカバー４６で覆った構成である。
【００２５】
ＬＥＤホルダー４３は、図９（ａ）に示すように、ホルダー本体４７から弾性腕部４８を延設し、その先端に作動部４９を形成したものである。
【００２６】
ホルダー本体４７は、ＬＥＤ５０をガイドするガイド孔５１と、ＬＥＤ５０に接続した抵抗５２との干渉を避けるための逃ガシ孔５３とを形成されている。ＬＥＤ５０から延びるリード線５４は、ホルダー本体４７の下面隅部に形成した切欠５５を介して引き出される。
【００２７】
弾性腕部４８は、ホルダー本体４７の側縁両端部から側方に延設され、斜め上方に向かい、互いに接近するように屈曲して作動部４９に連続するように形成されている。これにより、弾性腕部４８の変形が容易となり、かつ、前記ケース４の突出部との干渉が回避される。
【００２８】
作動部４９は、弾性腕部４８に連続する支持板４０ａの下面中央部から下方に突出する押圧部５６と、上面中央部から上方に突出する第１押圧受部５７と、上面両側部から上方に突出する第２押圧受部５８とで構成されている。押圧部５６は、可動鉄片１６の一端部を押圧し、カード２７を介して可動接触片２４を動作可能とする。第１押圧受部５７は、中央の円柱部５９と、その両側に延びる延設部６０とからなる。円柱部５９の中心に凹部５９ａが設けられると共に、延設部６０と円柱部５９に連続する溝部５９ｂが形成されている。凹部５９ａは、第１押圧受部５７をペン等の先の尖ったもので押圧する際の位置ずれを防止し、溝部５９ｂは、ドライバー等の板状のもので押圧する際の位置ずれを防止する。第２押圧受部５８は、ホルダー本体４７側の上方角部が切除され、傾斜面５８ａを形成されている。この傾斜面５８ａを操作レバー４４の押圧用突部７４によって押圧されることにより、押圧部５６で可動鉄片１６の吸引部１７を押圧することが可能となっている。
【００２９】
このように、前記ＬＥＤホルダー４３によれば、ＬＥＤ５０を保持できるだけでなく、作動部４９によって可動鉄片１６を動作可能な構成となっている。したがって、部品点数が少なく、安価に制作できる。また、ＬＥＤホルダー４３は、ケース４の上面に載置するだけで組み立てることができるので、作業性に優れている。
【００３０】
カバー４６は、図１１及び図１２に示すように、下面が開口する箱状で、上壁中央部には窓部６１が形成されている。窓部６１は、インジケータ３１が動作した際、表示片３２を視認できるようになっている。カバー４６の一端部には、操作レバー４４が装着される開口部６２と、この開口部６２に連続する開口部６２よりも幅狭の凹所６３とが形成されている。開口部６２は、カバー４６の上面及び側面に開口する。凹所６３は、カバー４６の上面に位置し、その中央部には前記ＬＥＤホルダー４３の第１押圧受部５７が押込可能に位置する挿通孔６４が穿設されている。カバー４６の上壁下面（天井面）には、前記開口部６２の両側に、波形で連続する３箇所の窪み部分により、第１，第２，第３係合受部６５ａ，６５ｂ，６５ｃが形成されている。第１，第２，第３係合受部６５ａ，６５ｂ，６５ｃは、後述する操作レバー４４を、閉鎖位置、第１開放位置、及び、第２開放位置にそれぞれ位置決めする。開口部６２の内側面には、第１係止爪６２ａが形成され、前記ケース４の上面から突出する第１ガイド片４１の係止溝４１ａが係脱する。また、カバー４６の他端部には、表示パネル４５を装着するためのパネル用凹部６６が形成されている。パネル用凹部６６には、両側に矩形状の連通孔６７が形成され、そこには取付部６８が突出している。取付部６８は棒状で、その断面形状は円形部から徐々に幅広となる台形部を延設したものとなっている。取付部６８は、凹所６３の裏面で幅方向に延びており、連通孔６７内で一端側が自由端となっている。そして、取付部６８は、表示パネル４５の取付だけでなく、凹所６３を形成することにより薄肉となった部分を補強すると共に、成形加工時の樹脂流れを良好なものとする。カバー４６の内側面には、連通孔６７の近傍に上下方向に延びる第２係止爪６９が形成され、前記ケース２４の補強部４０に形成した係止溝４０ａに係脱する。連通孔６７の存在により、内側面に第２係止爪６９を備えた構成であるにも拘わらず、カバー４６をスライド金型を必要とすることなく、成形加工することが可能である。また、窓部６１の近傍には、ＬＥＤ５０を露出させるための貫通孔４６ａが形成されている。
【００３１】
操作レバー４４は、図１１に示すように、操作部７０、閉鎖部７１、及び、係止部７２を備える。操作部７０は、上面及び側面で前記カバー４６の開口部６２を閉鎖する。操作部７０の上面には幅方向に延びる溝部７０ａが形成されている。溝部７０ａは、指の爪を引っ掛け、カバー４６に対して操作レバー４４をスライド操作するために使用する。閉鎖部７１は、操作部７０から水平方向に延び、前記凹所６３内に位置決めされる。これにより、挿通孔６４に位置する第１押圧受部５７が覆われる。係止部７２は、操作部７０から延び、閉鎖部７１の両側下方に位置する。係止部７２の先端側面には、山型の弾性膨出部７３が設けられ、先端下面には押圧用突部７４が形成されている。弾性膨出部７３は、カバー４６の天井面に形成した第１〜第３係合受部６５ａ〜６５ｃにそれぞれ係脱し、閉鎖位置（図１２参照）、第１開放位置（図１３参照）、及び、第２開放位置（図１４参照）にそれぞれ位置決めされる。押圧用突部７４は、操作レバー４４をスライドさせることによりＬＥＤホルダー４３の第２押圧受部５８を押圧する。また、係止部７２の下面には、ケース４の上面から突出するガイド突部３５の先端に当接してカバー４６からの脱落を防止する脱落防止用突部７５が形成されている。
【００３２】
なお、操作レバー４４は、前述の構成のほか、図１５に示すように、係止部７２の先端が、弾性膨出部７３が形成された第１弾性片７６と、押圧用突部７４が形成された第２弾性片７７の２つに分かれた構成としてもよい。この構成によれば、第１弾性片７６の弾性膨出部７３によるカバー４６の係合受部６５との係脱と、第２弾性片７７の押圧用突部７４によるＬＥＤホルダー４３の第２押圧受部５８の押圧とを独立して行わせることができる。これにより、可動鉄片１６の動作のばらつき、すなわちＬＥＤホルダー４３による押込量のばらつきを第２弾性片７７の弾性力によって吸収することが可能となる。
【００３３】
表示パネル４５は、図１１に示すように、板状体の表面に印刷やラベルの貼着により所望の表示を施したもので、裏面両端部には断面略Ｃ字形の係合爪７８がそれぞれ形成されている。各係合爪７８は、前記カバー４６の連通孔６７に突出する取付部６８に係合し、表示パネル４５をパネル用凹部６６に固定する。係合爪７８は両端２箇所に設けられているため、反り等を発生させることなく、表示パネル４５の取付状態を安定させることができる。
【００３４】
次に、前記電磁継電器の組立方法について説明する。
【００３５】
予め別工程で、鉄心１１にスプール１２を介してコイル１３を巻回し、ヨーク１４をカシメ固定することによりコイルブロック２を形成しておく。スプール１２の鍔部１２ａ，１２ｂにインサート成形した各コイル端子２０，２１には、胴部の内外周にそれぞれ巻回したコイル１３ａ，１３ｂの端部をそれぞれ巻き付ける。
【００３６】
ベースプレート１には、まず、上方より各接触片２４ａ，２５ａ，２６ａを圧入し、端子部２４ｂ，２５ｂ，２６ｂを下面よりそれぞれ突出させる。そして、インジケータ３１を、その支軸３４が軸受孔１０に回転自在に支持されるようにして取り付ける。続いて、カード２７を、その先端の突起２８ａを可動接触片２４の貫通孔２４ｃに挿通すると共に、ガイド受部３０をインジケータ３１のガイド突部３５に係止することにより仮止めする。
【００３７】
続いて、ベースプレート１にコイルブロック２を載置し、各コイル端子２０，２１の端子部を下面より突出させる。そして、ヨーク１４の垂直面部上端を支点として可動鉄片１６を回動自在に配置し、ヒンジバネ１５の押圧片１５ａによって付勢すると共に、連結部１９を前記カード２７の矩形孔２９に連結する。この状態では、ヒンジバネ１５の付勢力が作用することにより可動鉄片１６の吸引部１７が鉄心１１の吸引面１１ａから離れ、可動接触片２４はそれ自身の弾性力により可動接点２４ａを第１固定接点２５ａに閉成する。
【００３８】
ベースプレート１への接点開閉機構３及びコイルブロック２の組み付けが完了すれば、ベースプレート１にケース４を被せる。このとき、インジケータ３１の表示片３２がケース４の表示ガイド部３８に位置し、第１コイル端子２０の電気接続部２３がケース４のスリット４ａを介して上方に突出する。
【００３９】
次いで、ＬＥＤホルダー４３にＬＥＤ５０を組み付けてケース４の上面に載置する。ＬＥＤホルダー４３は、ケース４の表示ガイド部３８と係止片３９の間に挿入され、係止爪３９ａによって固定される。ＬＥＤ５０から延びるリード線５４は、ケース４の上面に突出する第１コイル端子２０の電気接続部２３に溶接する。電気接続部２３には突条２３ａが形成されているため、リード線５４との接続を確実に行うことができる。
【００４０】
最後に、ケース４の上面にカバー４６を装着する。カバー４６には、予め操作レバー４４と表示パネル４５を取り付けておく。操作レバー４４は、カバー４６の一端側から開口部６２内へとスライドさせて取り付ける。表示パネル４５は、カバー４６の上方から凹所６３に位置決めし、係合爪７８を取付部６８に係合させて取り付ける。
【００４１】
続いて、前記電磁継電器の動作について説明する。
【００４２】
コイル１３に通電していない消磁状態であれば、可動接触片２４がそれ自身の弾性力によって直立状態となり、可動接点２４ａを第１固定接点２５ａに閉成する。可動鉄片１６は、可動接触片２４の弾性力により、カード２７を介して吸引部１７が鉄心１１の吸引面１１ａから離れるように回動する。このため、カード２７と共にインジケータ３１は支軸３４を中心として、図４中、反時計回り方向に回動する。したがって、カバー４６の窓部６１から表示片３２を視認することはできない。
【００４３】
そして、コイル１３に通電して励磁すると、鉄心１１の吸引面１１ａに可動鉄片１６の吸引部１７が吸引され、可動鉄片１６は、図４中、時計回り方向に回動する。これにより、カード２７を介して可動接触片２４が駆動し、可動接点２４ａは第１固定接点２５ａから開離し、第２固定接点２６ａに閉成する。また、カード２７の移動に伴い、インジケータ３１が支軸３４を中心として、図４中、時計回り方向に回動する。これにより、表示片３２がカバー４６の窓部６１に位置し、外部より視認可能となる。したがって、接点開閉機構３での動作状態を一目で把握することができる。また、コイル１３への通電によりＬＥＤ５０が点灯し、コイルブロック２の励磁状態を一目で把握することができる。
【００４４】
また、コイル１３に通電していない消磁状態で、操作レバー４４を第１開放位置にスライドさせると、図１３（ａ）に示すように、ＬＥＤホルダー４３の第１押圧受部５７が露出する。これにより、第１押圧受部５７を押し込むことが可能となる。第１押圧受部５７を押し込むと、弾性腕部４８が弾性変形し、押圧部５６が下動する。これにより、可動鉄片１６が回動し、カード２７を介して可動接触片２４が動作する。このとき、カード２７の移動に伴ってインジケータ３１が回動し、表示片３２が窓部６１から視認できる。つまり、可動鉄片１６の動作状態が確認される。
【００４５】
また、操作レバー４４を第１開放位置から、さらに第２開放位置にスライドさせると、図１４に示すように、操作レバー４４の押圧用突部７４がＬＥＤホルダー４３の第２押圧受部５８を押圧し、弾性腕部４８が弾性変形する。これにより、押圧用突部７４がＬＥＤホルダー４３の作動部４９を押し下げ、可動鉄片１６は押圧部５６によって押圧状態に維持され、可動接点２４ａが第２固定接点２６ａに閉成する。このとき、インジケータ３１の表示片３２がカバー４６の窓部６１から視認可能となる。つまり、可動鉄片１６の動作状態を確認することができる。
【００４６】
なお、前記実施形態では、１箇所の可動接点２４ａを２箇所の固定接点２５ａ，２６ａに接離させる構成としたが、２箇所の可動接点をそれぞれ２箇所の固定接点に接離させる構成としてもよい。
【００４７】
この場合、ベースプレート１は、図１６に示すように、両側部から可動接触片２４Ａ，２４Ｂと一対の固定接触片２５Ａ，２５Ｂ、２６Ａ，２６Ｂからなる各接点開閉機構３をそれぞれ圧入可能な構成とする。そして、第４仕切壁７９によって第２領域を幅方向に２分割し、各接点開閉機構３の間の絶縁を図る。また、インジケータ３１は、下半部を２股に分割し、下端部に対向方向に突出する支軸３４を形成する。支軸３４は、前記第４仕切壁７９に形成した図示しない軸受孔に回転自在に支持する。また、カード２７は、両側２箇所に押込突出部２８を備え、各可動接触片２４を押圧する。なお、他の構成については、ほぼ前記実施形態と同様であり、その説明を省略する。
【００４８】
また、前記実施形態では、カード２７とインジケータ３１とを別体で構成したが、一体構造としてもよい。
【００４９】
図１７（ａ）では、カード２７の上縁中央部に表示片３２を一体的に形成している。
【００５０】
図１７（ｂ）では、カード２７の上縁中央部に延設部８０を形成し、この延設部に表示片３２を連接する。すなわち、表示片３１を、支軸８２を中心としてケース４に回動自在に取り付け、延設部８０に穿設した係止受孔８１に、表示片３２の係止片８３を回転自在に連接する。これによれば、カード２７から直接表示片を延設する場合に比べて表示片３２の回動範囲を広げることが可能となる。したがって、小型で、カード２７の移動量が少ない電磁継電器であっても、表示片３２の動作を増幅することができるので、動作確認を確実に行うことのできる構成となる。また、表示片３２はケース４に回動自在に設けるので、占有スペースを抑えることができ、電磁継電器の小型化を図ることが可能となる。
【００５１】
この場合、カバー４６は、例えば、図１８に示すように変更することが可能である。すなわち、カバー４６の中央部にパネル用凹部６６を形成し、この中央部のパネル用凹部６６に表示パネル４５を取付可能としてもよい。
【００５２】
【発明の効果】
以上の説明から明らかなように、本発明によれば、ホルダーで、発光素子の保持及び可動鉄片の手動操作を兼用することができ、部品点数を増やすことなく安価に対応することが可能となる。また、ホルダーを固定するだけでよいので、固定構造を簡略化することができる。
【図面の簡単な説明】
【図１】本実施形態に係る電磁継電器の斜視図である。
【図２】図１のカバーを外した状態を示す斜視図である。
【図３】図２からケースを外した状態を示す斜視図である。
【図４】図１の断面図である。
【図５】ベースプレート及び接点開閉機構の分解斜視図である。
【図６】インジケータの斜視図である。
【図７】カードの斜視図である。
【図８】コイルブロック及び可動鉄片の斜視図である。
【図９】（ａ）はＬＥＤホルダーの斜視図、（ｂ）はＬＥＤの斜視図である。
【図１０】（ａ）はＬＥＤホルダーの底面図、（ｂ）は（ａ）のＡ−Ａ線断面図、（ｃ）は（ａ）のＢ−Ｂ線断面図である。
【図１１】カバーの分解斜視図である。
【図１２】（ａ）はカバーの平面図、（ｂ）は（ａ）の底面図、（ｃ）は内部機構を示す部分正面図である。
【図１３】図１２から操作レバーを第１開放位置に操作した状態を示す図である。
【図１４】図１３から操作レバーを第２開放位置に操作した状態を示す図である。
【図１５】他の実施形態に係る操作レバーを示し、（ａ）は平面図、（ｂ）は正面図である。
【図１６】他の実施形態に係るベースブロック及び接点開閉機構を示す分解斜視図である。
【図１７】他の実施形態に係るカードを示す斜視図である。
【図１８】他の実施形態に係るカバーの斜視図である。
【符号の説明】
１…ベースプレート
２…コイルブロック
３…接点開閉機構
４…ケース
５…表示ブロック
６…第１絶縁壁
７…係止突部
８…第２絶縁壁
９…第３絶縁壁
１０…軸受孔
１１…鉄心
１２…スプール
１３…コイル
１４…ヨーク
１５…ヒンジバネ
１６…可動鉄片
１７…吸引部
１８…押圧受部
１９…連結部
２０…第１コイル端子
２１…第２コイル端子
２２…脚部
２３…電気接続部
２４…可動接触片
２５…第１固定接触片
２６…第２固定接触片
２７…カード
２８…押込突出部
２９…矩形孔
３０…ガイド受部
３１…インジケータ
３２…表示片
３３…視認部
３４…支軸
３５…ガイド突部
３６…係止孔
３７…爪部
３８…表示ガイド部
３９…係止片
４０…補強部
４１…第１ガイド片
４２…第２ガイド片
４３…ＬＥＤホルダー
４４…操作レバー
４５…表示パネル
４６…カバー
４７…ホルダー本体
４８…弾性腕部
４９…作動部
５０…ＬＥＤ（発光素子）
５１…ガイド孔
５２…抵抗
５３…逃ガシ孔
５４…リード線
５５…切欠
５６…押圧部
５７…第１押圧受部
５８…第２押圧受部
５９…円柱部
６０…延設部
６１…窓部
６２…開口部
６３…凹所
６４…挿通孔
６５…係合受部
６６…パネル用凹部
６７…連通孔
６８…取付部
６９…フック
７０…操作部
７１…閉鎖部
７２…係止部
７３…弾性膨出部
７４…押圧用突部
７５…脱落防止用突部
７６…第１弾性片
７７…第２弾性片
７８…係合爪
７９…第４仕切壁
【図１】
2004327236.tif 000003
【図２】
2004327236.tif 000004
【図３】
2004327236.tif 000005
【図４】
2004327236.tif 000006
【図５】
2004327236.tif 000007
【図６】
2004327236.tif 000008
【図７】
2004327236.tif 000009
【図８】
2004327236.tif 000010
【図９】
2004327236.tif 000011
【図１０】
2004327236.tif 000012
【図１１】
2004327236.tif 000013
【図１２】
2004327236.tif 000014
【図１３】
2004327236.tif 000015
【図１４】
2004327236.tif 000016
【図１５】
2004327236.tif 000017
【図１６】
2004327236.tif 000018
【図１７】
2004327236.tif 000019
【図１８】
2004327236.tif 000020